(57)【要約】【課題】車両運転中、ステアリングホイール３０を握ったままで、腕時計型携帯情報端末２０のクラウン２３の回転操作や表示画面２１のボタン２２のタッチ操作を可能にする腕時計型携帯情報端末２０の保持具１０を提供すること。【解決手段】車両のステアリングホイール３０の内側に腕時計型携帯情報端末２０をその表示画面が運転者に向くように保持する。一方の手でステアリングホイール３０を握ってハンドル操作しながら、他方の手の指で腕時計型携帯情報端末２０のクラウン２３の回転操作や表示画面２１のボタン２２のタッチ操作ができる。磁石１４の磁力で腕時計型携帯情報端末２０を着脱可能にホルダーフレーム１３に固定する。着脱が容易で使い勝手が良い。【選択図】図５
2017007567.tif 000002
【特許請求の範囲】
【請求項１】
車両のステアリングホイールの内側に腕時計型携帯情報端末をその表示画面が運転者に向くように保持する腕時計型携帯情報端末の保持具であって、
一端に磁石を内蔵した腕時計型携帯情報端末の装着部を備え、他端に前記ステアリングホイールに連結して固定される連結部を備え、
前記装着部が車両のステアリングホイールの内側に配置されるように連結部をステアリングホイールに連結して固定し、
前記磁石の磁力で腕時計型携帯情報端末を着脱可能に前記装着部に固定するようにしたことを特徴とする腕時計型携帯情報端末の保持具。
【請求項２】
ステアリングホイールを握った手の親指が届く範囲内に前記時計型携帯情報端末を保持することを特徴とする請求項１に記載の腕時計型携帯情報端末の保持具。
【請求項３】
前記連結部を前記ステアリングホイールに密接する当接面と、結束バンドと、結束バンドが挿通される通孔で構成し、
通孔に挿通した結束バンドをステアリングホイールに巻回して当接面をステアリングホイールに固定するようにしたことを特徴とする請求項１に記載の腕時計型携帯情報端末。
【請求項４】
前記連結部を拡開可能でステアリングホイールに弾力的に密着する断面形状が円弧形のクランプ片で構成し、クランプ片で連結部をステアリングホイールに着脱可能に固定することを特徴とする請求項１に記載の腕時計型携帯情報端末の保持具。
【請求項５】
前記連結部を断面形状が円弧形の一対のクリップ片で構成し、両クリップ片でステアリングホイールを着脱可能に掴持するようにしたことを特徴とする請求項１に記載の腕時計型携帯情報端末の保持具。
【発明の詳細な説明】
【技術分野】
【０００１】
本発明は腕時計型携帯情報端末の保持具に関し、より詳しくは車両のステアリングホイールの内側に腕時計型携帯情報端末を、その表示画面が運転者に向くように保持する腕時計型携帯情報端末の保持具に関する。
【背景技術】
【０００２】
近時、ウェアラブルコンピュータの一形式として、図８に示すような腕時計型携帯情報端末２０が市場に供されている。この腕時計型携帯情報端末２０はスマートフォンに短距離無線通信で接続することにより、スマートフォンに登録されているＥメール、カーナビ、オーディオ等のアプリケーションソフトを利用できる。また、マグネットが内蔵され、そのマグネットで充電器に密着させ、電磁誘導で充電できる。
【０００３】
この腕時計型情報端末２０を使うことにより、例えば、スマートフォンにＥメールの着信があるとき、表示画面２１のボタン２２を指先でタッチして予め用意されているメッセージを返信できる。
また、表示画面２１のボタン２２にタッチしてカーナビの地図情報を表示画面２１に表示し、あるいは付属のクラウン２３を指先で回して地図情報を拡大、縮小できる。
さらにまた、スマートフォンに記録されている音楽の中から表示画面２１のボタン２２にタッチして選曲し、あるいはクラウン２３を回してボリュームを調整できる。
【０００４】
ところで、車両の運転中、運転者はステアリングホイールを握っているので、たとえ片手でステアリングホイールを握ってハンドル操作するにしても、ステアリングホイールを握っている腕に装着した腕時計型携帯情報端末２０のクラウン２３や表示画面２１のボタン２２を、ステアリングホイールから離した片方の手の指で操作することはできない。
【先行技術文献】
【特許文献】
【０００５】
【特許文献１】引用なし
【発明の概要】
【発明が解決しようとする課題】
【０００６】
本発明は上記事情に鑑みてなされたものであって、車両運転中、ステアリングホイールを握ったままで、腕時計型携帯情報端末２０のクラウン２３の回転操作や表示画面２１のボタン２２のタッチ操作を可能にする腕時計型携帯情報端末２０の保持具を提供することを目的とする。
【課題を解決するための手段】
【０００７】
請求項１に記載の発明は、車両のステアリングホイールの内側に腕時計型携帯情報端末をその表示画面が運転者に向くように保持する腕時計型携帯情報端末の保持具であって、
一端に磁石を内蔵した腕時計型携帯情報端末の装着部を備え、他端に前記ステアリングホイールに連結して固定される連結部を備え、
前記装着部が車両のステアリングホイールの内側に配置されるように連結部をステアリングホイールに連結して固定し、
前記磁石の磁力で腕時計型携帯情報端末を着脱可能に前記装着部に固定するようにしたことを特徴とする。
【０００８】
請求項２に記載の発明は、請求項１に記載の腕時計型携帯情報端末の保持具において、ステアリングホイールを握った手の親指が届く範囲内に前記時計型携帯情報端末を保持することを特徴とする。
【０００９】
請求項３に記載の発明は請求項１に記載の腕時計型携帯情報端末の保持具において、前記連結部を前記ステアリングホイールに密接する当接面と、結束バンドと、結束バンドが挿通される通孔で構成し、
通孔に挿通した結束バンドをステアリングホイールに巻回して当接面をステアリングホイールに固定するようにしたことを特徴とする。
【００１０】
請求項４に記載の発明は、請求項１に記載の腕時計型携帯情報端末の保持具において、前記連結部を拡開可能でステアリングホイールに弾力的に密着する断面形状が円弧形のクランプ片で構成し、クランプ片で連結部をステアリングホイールに着脱可能に固定することを特徴とする。
【００１１】
請求項５に記載の発明は、請求項１に記載の腕時計型携帯情報端末の保持具において、前記連結部を断面形状が円弧形の一対のクリップ片で構成し、両クリップ片でステアリングホイールを着脱可能に掴持するようにしたことを特徴とする。
【発明の効果】
【００１２】
請求項１に記載の発明によれば、車両のステアリングホイールの内側に腕時計型携帯情報端末をその表示画面が運転者に向くように保持するので、一方の手でステアリングホイールを握ってハンドル操作しながら、他方の手の指で腕時計型携帯情報端末のクラウンの回転操作や表示画面のボタンのタッチ操作ができる。
【００１３】
腕時計型携帯情報端末はステアリングホイールの内側に保持されるので、ハンドル操作時、ステアリングコラムに装着されているコンビネーションスイッチや、ホルダーでダッシュボードに取り付けられているスマートフォン等の情報端末やコーヒーカップ等と干渉するおそれがない。保持具をステアリングホイールに取り付けても、ステアリングホイールのハンドル操作の妨げにならない。
磁石の磁力で腕時計型携帯情報端末を着脱可能に装着部に固定するので、着脱が容易で使い勝手が良い。
【００１４】
請求項２に記載の発明によれば、ステアリングホイールを握った手の親指が届く範囲内に前記時計型携帯情報端末を保持するので、両手でステアリングホイールを握ったまま、一方の手の親指で腕時計型携帯情報端末のクラウンの回転操作や表示画面のボタンのタッチ操作ができる。
【００１５】
請求項３に記載の発明によれば、当接面がステアリングホイールに密接するので、保持具を結束バンドでステアリングホイールに確りと固定できる。
【００１６】
請求項４に記載の発明によれば、クリップ片で保持具をステアリングホイールに着脱可能に固定できるので、使い勝手が良い。
【００１７】
請求項５に記載の発明によれば、両クリップ片でステアリングホイールを着脱可能に掴持することにより保持具をステアリングホイールに固定できるので、使い勝手が良い。
【図面の簡単な説明】
【００１８】
【図１】本発明の第１実施例に係る腕時計型携帯情報端末の保持具を示す分解斜視図である。
【図２】同保持具の連結部を示す断面図である。
【図３】同保持具の装着部を示す斜視図である。
【図４】同保持具のステアリングホイールへの取り付け手順を示す説明図である。
【図５】同保持具を取り付けた車両のステアリングホイールを示す説明図である。
【図６】本発明の第２実施例に係る腕時計型携帯情報端末の保持具を示す斜視図である。
【図７】本発明の第３実施例に係る腕時計型携帯情報端末の保持具を示す斜視図である。
【図８】腕時計型携帯情報端末を示す斜視図である。
【実施例１】
【００１９】
以下に本発明を図面に基づき説明する。図１には本発明の第１実施例に係る腕時計型携帯情報端末２０と、その保持具１０が示されている。当該保持具１０は、プラスチック成形品のロアフレーム１１とアッパフレーム１２とホルダーフレーム１３及び短い円柱型の磁石片１４で構成されている。
【００２０】
図２に示すように、ロアフレーム１１の一端には上端側が細くなるように先細りの外形を有する第１筒部１１ａが形成され、第１筒部１１ａの周囲に第１筒部１１ａから一定の間隔を空けて複数本の上向きの第１フック片１１ｂが形成されている。ロアフレーム１１の中間部には上向きの第２フック片１１ｃが形成されている。また、図１に示すように、ロアフレーム１１の他端には緩やかに湾曲する当接面１１ｃが形成され、当接面１１ｃの内側に結束バンド３１を挿通する通孔１１ｅが形成されている。
【００２１】
アッパフレーム１２の一端には円形の開口１２ａが形成されている。図２に示すように、アッパフレーム１２の下端部には下向きの第３フック片１２ｂが形成されている。
【００２２】
ホルダーフレーム１３の表面には腕時計型携帯情報端末と略同じ外形を有する四角形の凹部１３ａが形成されている。ホルダーフレーム１３の底面には下端側ほど内径が大きくなった第２筒部１３ｂと、第２筒部１３ｂの内側に第３筒部１３ｃが形成されている。図２及び図３に示すように、第２筒部１３ｂの下端部には外側に屈曲するリング状の第４フック片１３ｄが形成されている。第３筒部１３ｃの下端部には内側に屈曲する第４フック片１３ｅが形成されている。
【００２３】
第１実施例に係る腕時計型携帯情報端末の保持具１０を構成するロアフレーム１１とアッパフレーム１２及びホルダーフレーム１３の構成は以上の通りであって、次に、保持具１０の使用方法を説明する。
図４に示すように、ロアフレーム１１の当接部１１ｃをステアリングホイール３０に密着し、通孔１１ｅに挿通した結束バンド３１をステアリングホイール３０に巻き付けてロアフレーム１１をステアリングホイール３０に固定する。
【００２４】
ステアリングホイール３０に結束バンド３１で固定したロアフレーム１１の第１筒部１１ａにアッパフレーム１２の開口１２ａを被せ、ロアフレーム１１の第２フック片１１ｃとアッパフレーム１２の第３フック片１２ｂを係止する。これにより、ロアフレーム１１とアッパフレーム１２が一体になり、開口１２ａに第１筒部１１ａが露出する。
【００２５】
一方、予めホルダーフレーム１３の第３筒部１３ｃに磁石１４を嵌め込んでおく。第３筒部１３ｃの底まで磁石１４を押し込むと、磁石１４の下端部に第４フック片１３ｅが係止するので、第３筒部１３ｃから抜け落ちなくなり、第３筒部１３ｃに磁石１４が保持される。
【００２６】
次に、磁石１４を嵌め込んだホルダーフレーム１３の第２筒部１３ｂをアッパープレート１２の開口１２ａに露出しているロアプレート１１の第１筒部１１ａに嵌め込む。第２筒部１３ｂを第１筒部１１ａに嵌め込むと、第１フック片１１ｂと第３フック片１３ｄが係止し、ホルダーフレーム１３がロアプレート１１に固定される。
【００２７】
以上の手順で図５に示すように、保持具１０がステアリングホイール３０に固定されるので、保持具１０のホルダーフレーム１３にベルト２４を外した腕時計型携帯情報端末２０を載置すると、腕時計型携帯情報端末２０が磁石１４に吸引され、ホルダーフレーム１３に着脱可能に装着される。
【００２８】
第１実施例に係る腕時計型携帯情報端末２０の保持具１０によれば、図５に示すように、車両のステアリングホイール３０の内側に腕時計型携帯情報端末２０をその表示画面２１が運転者に向くように保持できるので、一方の手でステアリングホイール３０を握ってハンドル操作しながら、他方の手の指で腕時計型携帯情報端末２０のクラウン２３の回転操作や表示画面２１のボタン２２のタッチ操作ができる。
【００２９】
腕時計型携帯情報端末２０はステアリングホイール３０の内側に保持されるので、ハンドル操作時、ステアリングコラムに装着されているコンビネーションスイッチや、ホルダーでダッシュボードに取り付けられているスマートフォン等の情報端末やコーヒーカップ等と干渉するおそれがない。そのため、保持具１０をステアリングホイール３０に取り付けても、ステアリングホイール３０のハンドル操作の妨げにならない。
【００３０】
磁石１４の磁力で腕時計型携帯情報端末２０を着脱可能にホルダーフレーム１３に固定するので、着脱が容易で使い勝手が良い。
【００３１】
とくに本実施例によれば、ステアリングホイール３０を握るとき、保持具１０とステアリングホイール３０との連結部に近い箇所を握れば、握った手の親指が時計型携帯情報端末２０に届くように保持具１０の形状、寸法を設定したので、両手でステアリングホイール３０を握ったまま、保持具１０に近い一方の手の親指で腕時計型携帯情報端末２０のクラウン２３の回転操作や表示画面２１のボタン２２のタッチ操作ができる。
【００３２】
また、本実施例によれば、当接面１１ｃがステアリングホイール３０に密接するように湾曲に形成したので、保持具１０を結束バンド３１でステアリングホイール３０に確りと固定できる。
【実施例２】
【００３３】
本発明の第２実施例に係る腕時計型携帯情報端末２０の保持具１０Ａを図６に示す。当該保持具１０Ａは一端に拡開可能でステアリングホイール３０に弾力的に密着する断面形状が円弧形のクランプ片１５が設けられている。このクランプ片１５で保持具１０Ａをステアリングホイール３０に着脱可能に固定することができる。
なお、本実施例における他の構成は第１実施例に係る保持具１０と同じであるので、同一の構成要素に同一の符号を付して説明を省略する。
【実施例３】
【００３４】
本発明の第３実施例に係る腕時計型携帯情報端末２０の保持具１０Ｂを図７に示す。当該保持具１０Ｂの一端には断面形状が円弧形の一対のクリップ片１６，１７が設けられ、両クリップ片１６，１７でステアリングホイール３０を掴持することにより保持具１０Ｂをステアリングホイール３０に着脱可能に固定できる。
なお、本実施例における他の構成は第１実施例に係る保持具１０と同じであるので、同一の構成要素に同一の符号を付して説明を省略する。
【符号の説明】
【００３５】
１０、１０Ａ、１０Ｂ…腕時計型携帯情報端末の保持具
１１…ロアフレーム
１１ｃ…当接面
１１ｅ…通孔
１２…アッパフレーム
１３…ホルダーフレーム
１４…磁石
１５…クランプ片
１６，１７…クリップ片
２０…腕時計型携帯情報端末
２１…表示画面
３０…ステアリングホイール
３１…結束バンド
【図１】
2017007567.tif 000003
【図２】
2017007567.tif 000004
【図３】
2017007567.tif 000005
【図４】
2017007567.tif 000006
【図５】
2017007567.tif 000007
【図６】
2017007567.tif 000008
【図７】
2017007567.tif 000009
【図８】
2017007567.tif 000010